(57)【特許請求の範囲】
【請求項１】
下方が開口された筒部を備える器具本体と、
前記器具本体の前記筒部における底板の下面に取り付けられる、ＬＥＤを有する複数のＬＥＤ基板と、
前記複数のＬＥＤ基板の各々毎に設けられ、前記器具本体の底板の側に所定高さで突出し、頂部が開口され、かつ内面が、前記各ＬＥＤ基板のＬＥＤが発する光を下方に反射する曲面の反射面である複数の反射面形成部と、前記複数の反射面形成部が連結される反射板本体と、を備え、前記器具本体の下方に配置される反射板と、
前記反射板の下方に、隙間を介して配置される透光性のカバーと、
前記カバーを前記器具本体の周縁に取り付けるための取付板と、
を有し、
前記反射板における前記反射板本体の上面の、前記複数の反射面形成部が設けられていない中央の領域には、一つの円の円周に沿って複数の凸部が環状に設けられ、前記各凸部は、前記器具本体の側に突出すると共に、その突出長は、前記各反射面形成部の前記所定高さよりも小さく設定され、
前記反射板における前記反射板本体の下面の中央には、前記カバーの側に突出する突起部が設けられ、前記突起部の突出長は、前記反射板が前記カバーの側に許容範囲内で変形した場合には、前記突起部が前記カバーには接触せず、前記許容範囲を超えて変形した場合には、前記突起部が前記カバーに接触する長さに設定され、
前記器具本体における前記底板の下面の周縁部には、前記反射板の組付の際に前記反射板が載置される載置部としての、前記反射板側に突出する部分が設けられ、
前記器具本体における前記底板の下面の中央の、前記反射板における前記各凸部に対応する位置には、前記反射板の側に突出する、小突起としての複数の受部が設けられ、前記受部の突出長は、前記反射板における前記各反射面形成部の前記所定高さよりも小さく、かつ前記器具本体における、前記載置部としての前記反射板側に突出する部分の突出長よりも小さく設定され、
前記器具本体における、前記載置部としての前記反射板側に突出する部分が前記反射板における前記反射板本体の上面の周縁部に当接されると、前記反射板における前記各凸部と前記器具本体における前記各受部とが当接され、かつ前記各ＬＥＤ基板のＬＥＤが、前記各反射面形成部の前記頂部の開口に対応する位置に配置される照明器具。
【発明の詳細な説明】
【技術分野】
【０００１】
本発明は、天井材の埋設孔に埋め込まれて設置されるダウンライト等に適用される照明器具に関する。
【背景技術】
【０００２】
従来より、電源部を内蔵し、光源配設部を備えた器具本体と、ＬＥＤを配置した基板と、ＬＥＤの光を制御する反射体とを備えた照明器具が知られている（例えば、特許文献１参照）。
特許文献１は、基板を光源配設部と反射体との間に配置し、器具本体の略中心部から反射体を引き寄せ締め付けて、基板を器具本体に密着させる。
【先行技術文献】
【特許文献】
【０００３】
【特許文献１】特開２００８−２０４６９２号公報（図１、請求項２）
【発明の概要】
【発明が解決しようとする課題】
【０００４】
特許文献１は、光学性能を発揮させ、放熱性能を向上させつつ、商品性も損なわなくできる。
ところで、ＬＥＤユニットが取り付けられる器具本体と、器具本体においてＬＥＤユニットの前面に取り付けられる反射板と、反射板の前面を覆って器具本体に取り付けられるパネルとを備える照明器具が提案されている。
【０００５】
図１０に示すように、このような従来の照明器具１００は、反射板１０１において、上面の周縁が器具本体に、下面の周縁がパネルによりそれぞれ挟まれて取り付けられる。
そして、このような従来の照明器具１００は、反射板１０１が、略半球形状に形成された複数の反射面１０２を有し、それら反射面１０２の頂部に形成された開口１０３の中央部にＬＥＤが配置される。
そのため、このような従来の照明器具１００は、反射面１０２により、ＬＥＤが出射した光が照射方向に反射される。
【０００６】
しかし、このような従来の照明器具１００は、反射板１０１が、例えば方向Ａに向けて撓んだ場合、反射面１０２がアルミ薄膜形成面等になっていると、ＬＥＤユニットに対する絶縁距離および光学性能が減少する。
また、このような従来の照明器具１００は、反射板１０１が、例えば方向Ｂに向けて撓んだ場合、光学性能に変動を生ずる。
従って、このような従来の照明器具１００は、反射板１０１の撓みに伴い、絶縁距離および光学性能に影響を及ぼす。
【０００７】
本発明は、前述した課題を解決するためになされたものであり、その目的は、反射板の変形を規制して絶縁距離および光学性能を確保できる照明器具を提供することにある。
【課題を解決するための手段】
【０００８】
本発明に係る照明器具は、下方が開口された筒部を備える器具本体と、前記器具本体の前記筒部における底板の下面に取り付けられる、ＬＥＤを有する複数のＬＥＤ基板と、前記複数のＬＥＤ基板の各々毎に設けられ、前記器具本体の底板の側に所定高さで突出し、頂部が開口され、かつ内面が、前記各ＬＥＤ基板のＬＥＤが発する光を下方に反射する曲面の反射面である複数の反射面形成部と、前記複数の反射面形成部が連結される反射板本体と、を備え、前記器具本体の下方に配置される反射板と、前記反射板の下方に、隙間を介して配置される透光性のカバーと、前記カバーを前記器具本体の周縁に取り付けるための取付板と、を有し、前記反射板における前記反射板本体の上面の、前記複数の反射面形成部が設けられていない中央の領域には、一つの円の円周に沿って複数の凸部が環状に設けられ、前記各凸部は、前記器具本体の側に突出すると共に、その突出長は、前記各反射面形成部の前記所定高さよりも小さく設定され、前記反射板における前記反射板本体の下面の中央には、前記カバーの側に突出する突起部が設けられ、前記突起部の突出長は、前記反射板が前記カバーの側に許容範囲内で変形した場合には、前記突起部が前記カバーには接触せず、前記許容範囲を超えて変形した場合には、前記突起部が前記カバーに接触する長さに設定され、前記器具本体における前記底板の下面の周縁部には、前記反射板の組付の際に前記反射板が載置される載置部としての、前記反射板側に突出する部分が設けられ、前記器具本体における前記底板の下面の中央の、前記反射板における前記各凸部に対応する位置には、前記反射板の側に突出する、小突起としての複数の受部が設けられ、前記受部の突出長は、前記反射板における前記各反射面形成部の前記所定高さよりも小さく、かつ前記器具本体における、前記載置部としての前記反射板側に突出する部分の突出長よりも小さく設定され、前記器具本体における、前記載置部としての前記反射板側に突出する部分が前記反射板における前記反射板本体の上面の周縁部に当接されると、前記反射板における前記各凸部と前記器具本体における前記各受部とが当接され、かつ前記各ＬＥＤ基板のＬＥＤが、前記各反射面形成部の前記頂部の開口に対応する位置に配置される。
【発明の効果】
【０００９】
本発明に係る照明器具によれば、反射板の変形を規制して絶縁距離および光学性能を確保できるという効果を奏する。
【図面の簡単な説明】
【００１０】
【図１】本発明に係る一実施形態の照明器具の斜め上方から視た外観斜視図
【図２】本発明に係る一実施形態の照明器具の斜め下方から視た分解斜視図
【図３】本発明に係る一実施形態の照明器具の垂直断面図
【図４】本発明に係る一実施形態の照明器具の器具本体の斜め下方から視た外観斜視図
【図５】本発明に係る一実施形態の照明器具の器具本体の一部破断垂直断面図
【図６】本発明に係る一実施形態の照明器具の反射板の斜め上方から視た外観斜視図
【図７】本発明に係る一実施形態の照明器具の反射板の垂直断面図
【図８】本発明に係る一実施形態の照明器具の反射板周りの一部破断垂直断面図
【図９】本発明に係る一実施形態の照明器具の反射板およびカバー周りの一部破断垂直断面図
【図１０】従来の照明器具の反射板の垂直断面図
【発明を実施するための形態】
【００１１】
以下、本発明に係る一実施形態の照明器具について図面を参照して説明する。
図１に示すように、本発明に係る一実施形態の照明器具１０は、器具本体１１と枠体１２とを備える。
器具本体１１は、例えばアルミニウムダイキャスト等の金属製であって、略円筒形状に形成された筒部（図２参照）１３を有し、筒部１３の上部に複数の放熱フィン１４を有する。
器具本体１１は、筒部１３の側部に一対の枠体掛止部１５を有する。
【００１２】
枠体１２は、上部枠部１６と、下部枠部１７と、上部枠部１６と下部枠部１７とを接続する接続部１８とを有する。
上部枠部１６は、円環形状に形成されており、上面に器具本体１１の枠体掛止部１５が掛止される。
下部枠部１７は、円環形状に形成されており、外周部に反射面付の化粧板１９を有する。
接続部１８は、照明器具１０が不図示の天井材の下方から不図示の埋設孔に挿入された後に、天井材の上面に係止される複数の取付部材２０を有する。
【００１３】
図２に示すように、器具本体１１は、筒部１３を有し、この筒部１３の内周部に有する底板２１の下面にＬＥＤユニット２２が取り付けられる。
ＬＥＤユニット２２は、ＬＥＤ２３が封止された複数のＬＥＤ基板２４がＬＥＤ固定ばね２５を介して器具本体１１の底板２１に固定される。
ＬＥＤ基板２４は、不図示のプリント回路が同じく不図示の電源ユニットに電気的に接続される。
【００１４】
器具本体１１は、筒部１３の下方側に反射板２６と、カバー２７と、パッキン２８と、取付板２９とが取り付けられる。
反射板２６は、樹脂製であって、円形に形成されており、半球形状であって頂部に開口部３０を有する複数の反射面形成部３１を有する。
反射板２６は、外縁部に複数のねじ挿通孔３２を有する。
【００１５】
カバー２７は、乳白色や透明の樹脂部材により円形の板形状に形成されており、反射板２６の前面を覆う。
パッキン２８は、カバー２７の外縁を覆ってカバー２７に取り付けられる。
取付板２９は、金属製の円環形状に形成されており、外縁部にねじ孔３３を有する。
【００１６】
図３に示すように、反射板２６は、反射面形成部３１の開口部３０のそれぞれの中心位置にＬＥＤユニット２２のＬＥＤ２３が配置される。
そのため、反射面形成部３１は、ＬＥＤ２３が出射した光を照射方向に反射させる。
このとき、反射板２６に方向（図１０参照）Ｂに撓み等が生ずると、反射面形成部３１の開口部３０のそれぞれの中心位置にＬＥＤユニット２２のＬＥＤ２３が配置されなくなり、光学性能が減少したり、光学性能に変動を生じたりする。
取付板２９は、反射板２６のねじ挿通孔３２を通じて、ねじ孔３３からねじ３４が器具本体１１にねじ込まれる。
【００１７】
次に、器具本体１１の詳細構造について説明する。
図４に示すように、器具本体１１は、底板２１の下面の中央部に複数の受部３５を備える。
受部３５は、底板２１の中央部の同一円周上に小突起形状に形成されて下方へ向けて突出される。
器具本体１１は、底板２１の周縁部において内周に向けて突出される複数の載置部３６を備える。
【００１８】
図５に示すように、器具本体１１は、受部３５が高さ寸法Ｌ１で底板２１から突出される。
器具本体１１は、載置部３６が、受部３５の高さ寸法Ｌ１よりも大きい高さ寸法Ｌ２で底板２１から突出される。
【００１９】
次に、反射板２６の詳細構造について説明する。
図６に示すように、反射板２６は、円板形状に形成された反射板本体３７の上面の中央部に複数の凸部３８を備える。
凸部３８は、反射板本体３７の中央部の同一円周上に小突起形状に形成されて上方へ向けて突出される。
このとき、反射板２６の凸部３８は、器具本体１１の受部３５に一致する位置に配置される。
反射板２６は、反射板本体３７の上面の凸部３８の外方であって、複数の反射面形成部３１の間に補助凸部３９を備える。
補助凸部３９は、反射面形成部３１の間において軸形状に形成されて上方へ向けて突出される。
【００２０】
図７に示すように、反射板２６は、反射板本体３７の下面の中央部に突起部４０を備える。
反射板２６は、突起部４０が、高さ寸法Ｌ３で反射板本体３７から突出される。
反射板２６は、凸部３８が、高さ寸法Ｌ４で反射板本体３７から突出される。
反射板２６は、補助凸部３９が、器具本体１１の載置部３６の高さ寸法Ｌ２に同等の高さ寸法Ｌ５で反射板本体３７から突出される。
反射板２６は、反射面形成部３１の内面を含む反射板本体３７の下面が、アルミ薄膜形成面の非充電金属部である。
そのため、反射板２６に方向（図１０参照）Ａに撓み等が生ずると、非充電金属部に対するＬＥＤ２３の絶縁距離に支障を生ずる。
【００２１】
次に、器具本体１１と反射板２６との組付後の詳細構造について説明する。
図８に示すように、器具本体１１は、底板２１の下面に反射板２６が組付けられ、この反射板２６の前面にパッキン２８を介してカバー２７が組付けられ、パッキン２８の前面に取付板２９が組付けられる。
【００２２】
そして、反射板２６のねじ挿通孔３２を通じて、取付板２９のねじ孔３３からねじ３４が器具本体１１にねじ込まれる。
そのため、取付板２９と、器具本体１１との間に、カバー２７と、反射板２６とが挟まれて組付けられる。
このとき、反射板２６は、反射板本体３７の上面の周縁部が、器具本体１１の載置部３６に当接する。
そして、反射板２６は、反射板本体３７の上面の凸部３８が、器具本体１１の受部３５に当接する。
さらに、反射板２６は、反射板本体３７の上面の補助凸部３９が、器具本体１１の底板２１に当接する。
【００２３】
図９に示すように、反射板２６は、反射板本体３７の下面の突起部４０が、高さ寸法Ｌ３で反射板本体３７から突出されている。
そのため、突起部４０は、カバー２７に当接せずに、カバー２７から隙間寸法Ｌ６だけ離れて配置される。
従って、取付板２９が器具本体１１にねじ３４のねじ込みにより器具本体１１に取り付けられた際の交差寸法を隙間寸法Ｌ６により吸収して反射板２６がカバー２７に直接接触しないようにできる。
【００２４】
このように、照明器具１０は、取付板２９が器具本体１１にねじ止めされることにより、反射板２６の周縁部が、取付板２９に押圧されて支持される。
従って、照明器具１０は、反射板２６の外縁部の変形が規制される。
【００２５】
また、照明器具１０は、取付板２９が器具本体１１にねじ止めされることにより、反射板２６の反射板本体３７の上面の凸部３８が器具本体１１の受部３５に当接される。
そして、照明器具１０は、取付板２９が器具本体１１にねじ止めされることにより、反射板２６の反射板本体３７の上面の補助凸部３９が器具本体１１の底板２１に当接する。
そのため、照明器具１０は、反射板２６に対して方向Ａへ変形させるような応力が作用したとしても、反射板２６の方向Ａへの変形が規制される。
従って、照明器具１０は、絶縁距離および光学性能の減少を防止できる。
【００２６】
そして、照明器具１０は、反射板２６に対して方向Ｂへ変形させるような応力が作用した際に、反射板２６の反射板本体３７が、突起部４０とカバー２７との隙間寸法Ｌ６を超えて変形する。
そのため、照明器具１０は、反射板２６の反射板本体３７の下面の突起部４０がカバー２７に当接する。
これにより、照明器具１０は、反射板２６に対して方向Ｂへ変形させるような応力が作用したとしても、反射板２６の方向Ｂへの変形が規制される。
従って、照明器具１０は、光学性能の変動を防止できる。
【００２７】
以上、説明した本発明に係る一実施形態の照明器具１０によれば、器具本体１１の中央部の受部３５が反射板２６の後面の中央部の凸部３８に当接され、器具本体１１の周縁の載置部３６が反射板２６の外周部に当接される。
また、照明器具１０によれば、反射板２６の前面の中央部の突起部４０がカバー２７に当接される。
従って、照明器具１０によれば、反射板２６の変形を規制して絶縁距離および光学性能を確保できる。
【００２８】
また、本発明に係る一実施形態の照明器具１０によれば、反射板２６の突起部４０が、カバー２７に当接せずに、カバー２７から隙間寸法Ｌ６だけ離れて配置される。
従って、照明器具１０によれば、取付板２９が器具本体１１にねじ止めされた際の交差寸法を吸収して反射板２６がカバー２７に直接接触しないようにできる。
【００２９】
なお、本発明の照明器具において枠体，ＬＥＤ基板，ＬＥＤ，ＬＥＤユニット等は、前述した一実施形態に限定されるものでなく、適宜な変形や改良等が可能である。
【符号の説明】
【００３０】
１０  照明器具
１１  器具本体
２２  ＬＥＤユニット
２６  反射板
２７  カバー
２９  取付板
３５  受部
３６  載置部
３８  凸部
４０  突起部
【図１】
0005810309.tif 000002
【図２】
0005810309.tif 000003
【図３】
0005810309.tif 000004
【図４】
0005810309.tif 000005
【図５】
0005810309.tif 000006
【図６】
0005810309.tif 000007
【図７】
0005810309.tif 000008
【図８】
0005810309.tif 000009
【図９】
0005810309.tif 000010
【図１０】
0005810309.tif 000011